(57)【要約】【課題】デジタルＡＶデータ記録再生装置に記録したデジタル放送のデータ放送コンテンツを長時間視聴しようとして、当該部分を繰り返し再生すると、ストリームの不連続を、デジタル放送受信機が検出してしまい、この不連続に基づき停止・再起動が行われるため、連続した視聴ができない。【解決手段】再生位置を監視する、再生位置監視手段１００２と、再生位置が不連続に変化したことをデジタル放送受信機１０２に通知するための再生不連続点通知手段１００３と、再生不連続点通知手段１００３が生成した、再生位置不連続通知データを、ＭＰＥＧ２トランスポート化するＭＰＥＧ２トランスポート化手段１００４を備え、繰り返し再生の繰り返し点で、再生ストリームが不連続であることを、デジタル放送受信機１０２のデータ放送実行手段１１６に通知する機能を備えることにより、連続したデータ放送の視聴が可能になる。【選択図】  図１
2004228751.tif 000002
【特許請求の範囲】
【請求項１】
再生位置監視手段と、再生不連続点通知手段と、ＭＰＥＧ２トランスポート化手段とを備え、再生位置が不連続になることを検出したときに、再生位置が不連続であることを通知するデータをＭＰＥＧトランスポート化し、再生データとしてデジタル放送受信機に送出する連続再生管理手段を備えた、ことを特徴とするデジタルＡＶデータ記録再生装置。
【請求項２】
ＭＰＥＧ２−ＴＳで規定される、ＳＩＴ（セレクションインフォメーションテーブル）情報抽出手段と、ＳＩＴ情報変更手段とを備え、再生位置の不連続点において、不完全なＳＩＴデータを削除し、かつ、繰り返し再生の範囲内において、１組のＳＩＴデータ以外は削除するＳＩＴ管理手段を備えたことを特徴とする請求項１に記載のデジタルＡＶデータ記録再生装置。
【請求項３】
ＭＰＥＧ２−ＴＳで規定される、ＳＩＴ（セレクションインフォメーションテーブル）情報抽出手段と、ＳＩＴ情報変更手段とを備え、再生位置の不連続点において、不完全なＳＩＴデータを削除し、かつ、繰り返し再生の範囲内において現れるＳＩＴデータの放送時刻情報を、再生動作時間を加算した、単調増加させた値で更新するＳＩＴ管理手段を備えたことを特徴とする請求項１に記載のデジタルＡＶデータ記録再生装置。
【請求項４】
記録開始時刻取得手段と、記録開始時刻保存手段と、記録開始時刻をデータ放送実行手段に通知する、記録開始時刻通知手段からなる、記録開始時刻管理手段を備えたことを特徴とする、請求項１ないし３のいずれかに記載のデジタルＡＶデータ記録再生装置。
【請求項５】
記録開始時刻通知手段は、デジタル放送受信機から発行される問い合わせ要求に対する、応答であることを特徴とする請求項４に記載のデジタルＡＶデータ記録再生装置。
【請求項６】
記録開始時刻通知手段は、データ放送のイベントメッセージ伝送方式を使用することを特徴とする請求項４に記載のデジタルＡＶデータ記録再生装置。
【請求項７】
記録開始時刻取得手段は、記録するストリームの、ＳＩＴ（セレクションインフォメーションテーブル）データから取得することを特徴とする請求項５または６に記載のデジタルＡＶデータ記録再生装置。
【請求項８】
ＭＰＥＧ２−ＴＳで規定される、ＰＭＴ（プログラムアソシエーションテーブル）抽出解析手段と、再生属性保存手段と、再生動作管理手段からなる、再生属性管理手段を備え、放送局が指定した再生方法を直接受け取り、再生動作に反映させる機能を備えたことを特徴とするデジタルＡＶデータ記録再生装置。
【請求項９】
起動コンテンツ識別子保存手段と、コンテンツ再生指定手段からなる、起動コンテンツ管理手段を備え、再生属性管理手段からの通知により、ボタン押下により再生を開始するコンテンツを自動的に切り換える機能を備えたことを特徴とする請求項８に記載のデジタルＡＶデータ記録再生装置。
【発明の詳細な説明】
【０００１】
【発明の属する技術分野】
本発明は、デジタル放送を記録・再生を行う、デジタルＡＶデータ記録再生装置に関する。
【０００２】
【従来の技術】
近年、放送のデジタル化により、映像・音声に加えてデジタルデータを多重化して放送することで、番組に対する付加情報を提供したり、映像、音声とは独立した情報を提供したりする、サービスが普及してきた。また、前述の映像、音声情報およびデータ放送コンテンツを記録可能な、ＨＤＤレコーダに記録、蓄積しておき、ユーザの要求に応じて視聴することが可能になった。このような機能を実現するデジタル放送システムとしては、たとえば、ＭＰＥＧ２システム（ＩＳＯ／ＩＥＣ１３８１８−１）規格を利用したデジタル衛星放送等が挙げられる。また、記録再生装置としては、特許文献１に示したものが知られている。
【０００３】
図１８は、データ放送を含むデジタルＡＶストリームを記録・再生する、デジタルＡＶデータ記録再生装置の従来の技術を示す構成図である。
【０００４】
図１８において、１０１はＴＶ受像機、１０２はデジタル放送受信機、１０３はデジタルＡＶストリーム記録再生装置を示している。
デジタル放送受信機１０２は、データ放送実行手段１１６と映像・音声・データ放送を表示する、表示手段１１７を備えている。
【０００５】
デジタルＡＶデータ記録再生装置１０３は、コマンド処理手段１０４と記録バッファ１０５とコンテンツ格納手段１０６と再生バッファ１０７を備えている。
【０００６】
１１８は、デジタル放送受信機１０２とデジタルＡＶデータ記録再生装置１０３を接続するデジタルインタフェースである。１１４は、デジタル放送受信機１０２から送出され、デジタルＡＶデータ記録再生装置１０３に記録する記録ストリームである。１１５は、デジタルＡＶデータ記録再生装置１０３からデジタル放送受信機１０２に送出される、再生ストリームである。１１３は、デジタルＡＶデータ記録再生装置１０３を操作するためのコマンド要求であり、このコマンド要求１１３は、デジタル放送受信機１０２を操作するか、または、デジタルＡＶデータ記録再生装置１０３を操作することで、コマンド処理手段１０４に対して発行されるものである。
【０００７】
コンテンツ格納手段１０６は、番組タイトル情報格納手段１０８、コンテンツ記録手段１０９、コンテンツ再生手段１１０、コンテンツ選択手段１１１、データ保存手段１１２を備えている。
【０００８】
次に、図１８に示す従来例の動作について説明する。
【０００９】
デジタル放送視聴者は、デジタル放送受信機１０２を操作するか、デジタルＡＶデータ記録再生装置１０３を操作して、コマンド要求１１３を発行し、デジタルＡＶデータ記録再生装置１０３に、コンテンツを記録する。このとき、デジタル放送受信機１０２から送出された記録ストリーム１１４は、一旦、記録バッファ１０５に蓄積され、そのあと、コンテンツ格納手段１０６によって、データ保存手段１１２に記録される。コンテンツ記録手段１０９は、データ保存手段１１２上の記録位置を管理しながら、記録動作を継続する。番組タイトル情報格納手段１０８は、コマンド処理手段１０４によって指定された、記録コンテンツのタイトルや放送時間、チャンネル情報などを、データ保存手段１１２に書き込むものである。
【００１０】
一方再生動作を行うときは、記録する際と同様に、視聴者は、デジタル放送受信機１０２を操作するか、デジタルＡＶデータ記録再生装置１０３を操作することで、コマンド要求１１３を発行する。コマンド処理手段１０４はその要求を処理し、コンテンツ選択手段１１１によって、再生するコンテンツを指定し、コンテンツ再生手段１１０が、再生動作を開始する。再生データは、再生バッファ１０７を経由して、再生ストリーム１１５として送出され、視聴者は、デジタル放送受信機１０２、ＴＶ受像機１０１を介して、ＡＶコンテンツを視聴するものである。
【００１１】
【特許文献１】
特開２００２−１５２６８８号公報
【００１２】
【発明が解決しようとする課題】
従来の技術によるデジタルＡＶデータ記録再生装置は、以上のようなものである。従来例に示す機器において、通常の映像・音声を視聴することには支障はないが、図１９に示すような、データ・ＡＶ複合コンテンツ２００を記録・再生するには、問題が発生する。
【００１３】
図１９は、デジタルＡＶデータ記録再生装置１０３に記録されたコンテンツを帯状の模式図で表したものである。横軸はコンテンツの記録時間を表している。
【００１４】
２０１は、通常の映像や音声のＡＶコンテンツである。２０２は、ＢＭＬ（Ｂｒｏａｄｃａｓｔ  Ｍａｒｋｕｐ  Ｌａｎｇｕａｇｅ）等で記述された、データ放送コンテンツであり、データ・ＡＶ複合コンテンツ２００は、ＡＶコンテンツ２０１にデータ放送コンテンツ２０２が多重化され放送されている番組を、記録したものである。このような、データ・ＡＶ複合コンテンツを記録、再生するには、以下のような課題があった。
【００１５】
１番目の課題は、録画した時間分しか、データ放送コンテンツの連続再生ができないという点である。
【００１６】
データ放送コンテンツの具体的な内容には、たとえば、ゲーム、番組の案内、天気情報等がある。データ放送コンテンツのデータ量そのものは大きくないため、全体を短時間で記録することが可能である。しかし、その視聴に長時間かかると、再生動作が番組終端に到達して、停止してしまう。このような、ゲームのデータ放送コンテンツを長時間楽しむときなどに、データ放送を長時間視聴するには、図２０に示すように、再生位置３００が、コンテンツ終端３０２に到達した時点で、繰り返し再生動作３０３を行い、コンテンツ先頭からの再生動作を連続的に行うことが考えられる。しかしながら、くり返し再生動作３０３において、単にコンテンツ先頭３０１からの再生を継続しようとすると、デジタル放送受信機１０２のデータ放送実行手段１０６は、再生情報の不連続の検出および再生時間の逆戻りを検出し、自動的にいったん停止して再起動を行うことから、継続して視聴することができないという問題点があった。
【００１７】
２番目の課題は、データ・ＡＶ複合コンテンツ再生中にスキップ再生動作を行うと、データ放送コンテンツの連続再生ができないという点である。図２１は、そのときの動作を示したものである。
【００１８】
図２１において、図１９、図２０と同一の要素には同一番号を付与し、説明を省略する。
【００１９】
４０１は、データ・ＡＶ複合コンテンツ２００の再生中のスキップ再生動作を模式的に描いたものである。４０２はスキップ開始点、４０３はスキップ終了点を示している。スキップ再生動作４０１は、スキップ開始点４０２からスキップ終了点４０３へ、再生中に再生位置の移動動作を行ったことを示している。たとえば、データ放送コンテンツ２０２が、ＡＶコンテンツ２０１のシーン検索機能を有しており、データ放送コンテンツの動作に従って、再生位置３００を移動させる場合、スキップ再生動作４０１の終了後、デジタル放送受信機１０２のデータ放送実行手段１０６は、再生情報の不連続の検出および再生時間の逆戻りを検出し、自動的にいったん停止して再起動を行うことから、継続して視聴することができないという問題点があった。
【００２０】
３番目の課題は、データ・ＡＶ複合コンテンツのスキップ再生動作において、データ放送コンテンツから、ＡＶコンテンツの相対位置を正確に示すことができないという問題点がある。図２２は、その動作を示したものである。
【００２１】
図１９から図２１と同じ構成要素には、同一の番号を付与し、説明を省略する。
【００２２】
図２２において、５０１〜５０４はそれぞれＡＶコンテンツを示している。
【００２３】
蓄積型放送サービスでは、あらかじめデジタルＡＶデータ記録再生装置１０３に記録されたデータ・ＡＶ複合コンテンツ２００を視聴するときに、データ放送コンテンツ２０２とＡＶコンテンツ５０１〜５０４との連携動作を行う。その一例として、データ放送コンテンツ２００によって表示されたメニューからＡＶコンテンツを選択し、再生するような、データ放送のアプリケーションが考えられる。図２２においては、再生位置３００が、ＡＶコンテンツ５０１を再生しており、そのときにデータ放送コンテンツ２０２によるアプリケーションに従い、再生位置を、ＡＶコンテンツ５０１からＡＶコンテンツ５０３の先頭に移動させるような動作である。
【００２４】
従来の構成のデジタルＡＶデータ記録再生装置では、上記のような動作を行うには、データ放送コンテンツ２０２に、あらかじめ、各ＡＶコンテンツの放送開始時刻を埋め込んでおき、その時間を使ってサーチ動作を行う方法がある。
【００２５】
具体的には、ＡＶコンテンツ５０２が番組開始５分後、ＡＶコンテンツ５０３が番組開始１０分後に放送されるものとして、その時間をあらかじめデータ放送コンテンツ２０２に埋め込んで放送する。ＡＶコンテンツ５０１視聴中に、データ放送コンテンツ２０２のアプリケーションに従ってＡＶコンテンツ５０３を先頭から再生するときは、データ放送コンテンツ２０２のアプリケーションが、コンテンツ先頭から１０分の位置にスキップ再生動作を行うコマンド要求をデジタルＡＶデータ記録再生装置１０３に発行して、再生位置３００をＡＶコンテンツ５０３に移動させて、再生動作を継続する。
【００２６】
しかしながら、この方法は、指定する時間情報は、データ・ＡＶ複合コンテンツ２００の放送時間であるのに対し、スキップ再生動作を行う時間情報は、デジタルＡＶデータ記録再生装置に記録された時間であるため、正確な頭だしを行うためには、番組開始時刻と記録開始時刻が、一致していることが前提である。しかしながら、実際の録画動作は、番組開始時刻よりも十数秒から１分程度早めに録画を開始したり、あるいは、遅れて録画を開始したりすることもありえる。その結果、このようなスキップ再生動作の位置決め精度が下がり、前の番組の終わりからスキップ再生を始めたり、番組途中からスキップ再生動作が始めたりすることがある。
【００２７】
図２２に示す例では、ＡＶコンテンツ５０３の先頭から再生を開始するはずが、ＡＶコンテンツ５０２の後半から再生をはじめたり、逆に、ＡＶコンテンツ５０３の途中から再生をはじめたりするという問題がある。
【００２８】
４番目の課題は、データ・ＡＶ複合コンテンツと通常のＡＶコンテンツの再生動作を切り替える操作が面倒という問題があった。
【００２９】
データ・ＡＶ複合コンテンツは、連続繰り返し再生を行い、一方、通常の映像、音声だけのＡＶコンテンツは、連続繰り返し再生を行わないため、その再生動作が異なる。
【００３０】
従来のデジタルＡＶデータ記録再生装置は、デジタル放送受信機からの操作か、機器本体の操作によるコマンド要求からしか、機器の動作を指定できないため、再生動作の変更は、ユーザが手動で切り替えるか、あるいは、専用の機能を持ったデジタル放送受信機が必要という問題点があった。
【００３１】
５番目の課題は、従来のデジタルＡＶデータ記録再生装置は、特定のボタンを押下したときに再生を開始するコンテンツを自動的に更新することができないという問題がある。
【００３２】
図２３は、あるボタンを押下したときに特定のコンテンツの再生を開始する機能を持つ、従来のデジタルＡＶデータ記録再生装置の構成を示したものである。
【００３３】
図１８と同一の構成要素には、同じ番号を付与し、説明を省略する。
【００３４】
６０１は、ボタン押下検出手段。６０２は、再生開始要求発行手段。６０３は、リモコン信号送信機。６０４は、リモコン信号。６０５は、リモコン信号受信機である。
【００３５】
以下、図に従って、従来のデジタルＡＶデータ記録再生装置の動作を説明する。
【００３６】
デジタルＡＶデータ記録再生装置１０３の本体操作または、リモコン信号送信機６０３の操作により、ボタン押下検出手段６０１は、特定のコンテンツの再生要求のあることを検出する。その要求は、再生開始要求発行手段６０２で処理され、コンテンツ格納手段に対して、あらかじめ定義されているコンテンツの再生要求が発行され、再生動作が始まる。
【００３７】
従来のデジタルＡＶデータ記録再生装置では、このように、ボタンの押下によって特定のコンテンツの再生動作を開始する機能を持つ機器はあったが、そのコンテンツを切り替える機能は持たず、また、その様な切り替えを行うにも、視聴者が手動で指定しなければならないため、操作が煩雑であるという問題があった。
【００３８】
本発明は、このような、データ放送コンテンツとＡＶコンテンツが多重化されたコンテンツを記録再生可能なデジタルＡＶストリーム記録再生装置において、ユーザの使い勝手を向上させることを目的としてなされたものである。
【００３９】
【課題を解決するための手段】
上述した課題を解決するために、本発明のデジタルＡＶデータ記録再生装置は、再生位置監視手段と、再生不連続点通知手段と、ＭＰＥＧ２トランスポート化手段とを備え、再生位置が不連続になることを検出したときに、再生位置が不連続であることを通知するデータをＭＰＥＧトランスポート化し、再生データとしてデジタル放送受信機に送出する連続再生管理手段を備えたものである。
【００４０】
これにより、不連続点をデジタル放送受信機に通知可能となり、停止や再起動をすることなく連続再生や繰り返し再生が可能となる。
【００４１】
【発明の実施の形態】
本発明の第１の本発明（請求項１に対応）は、再生位置監視手段と、再生不連続点通知手段と、ＭＰＥＧ２トランスポート化手段とを備え、再生位置が不連続になることを検出したときに、再生位置が不連続であることを通知するデータをＭＰＥＧトランスポート化し、再生データとしてデジタル放送受信機に送出する、連続再生管理手段を備えたことを特徴とするデジタルＡＶデータ記録再生装置である。
【００４２】
また、第２の本発明（請求項２に対応）は、ＭＰＥＧ２−ＴＳで規定される、ＳＩＴ（セレクションインフォメーションテーブル）情報抽出手段と、ＳＩＴ情報変更手段とを備え、再生位置の不連続点において、不完全なＳＩＴデータを削除し、かつ、繰り返し再生の範囲内において、１組のＳＩＴデータ以外は削除するＳＩＴ管理手段を備えたことを特徴とする請求項１に記載のデジタルＡＶデータ記録再生装置である。
【００４３】
また、第３の本発明（請求項３に対応）は、ＭＰＥＧ２−ＴＳで規定される、ＳＩＴ（セレクションインフォメーションテーブル）情報抽出手段と、ＳＩＴ情報変更手段を備え、再生位置の不連続点において、不完全なＳＩＴデータを削除し、かつ、繰り返し再生の範囲内において現れるＳＩＴデータの放送時刻情報を、再生動作時間を加算した、単調増加させた値で更新するＳＩＴ管理手段を備えたことを特徴とする請求項１に記載のＡＶストリームデータ記録再生装置である。
【００４４】
また、第４の本発明（請求項４に対応）は、記録開始時刻取得手段と、記録開始時刻保存手段と、記録開始時刻をデータ放送実行手段に通知する、記録開始時刻通知手段からなる、記録開始時刻管理手段を備えたことを特徴とする請求項１〜３のいずれかに記載のデジタルＡＶデータ記録再生装置である。
【００４５】
また、第５の本発明（請求項５に対応）は、デジタル放送受信機から発行される問い合わせ要求に対する、応答であることを特徴とする請求項４に記載のデジタルＡＶデータ記録再生装置である。
【００４６】
また、第６の本発明（請求項６に対応）は、記録開始時刻通知手段は、データ放送のイベントメッセージ伝送方式を使用することを特徴とする、請求項４に記載のデジタルＡＶデータ記録再生装置である。
【００４７】
また、第７の本発明（請求項７に対応）は、記録開始時刻取得手段は、記録するストリームの、ＳＩＴ（セレクションインフォメーションテーブル）データから取得することを特徴とする、請求項５または６に記載のデジタルＡＶデータ記録再生装置である。
【００４８】
また、第８の本発明（請求項８に対応）は、ＭＰＥＧ２−ＴＳで規定される、ＰＭＴ（プログラムアソシエーションテーブル）抽出解析手段と、再生属性保存手段と、再生動作管理手段からなる、再生属性管理手段を備え、放送局が指定した再生方法を直接受け取り、再生動作に反映させる機能を備えたことを特徴とするデジタルＡＶデータ記録再生装置である。
【００４９】
また、第９の本発明（請求項９に対応）は、起動コンテンツ識別子保存手段と、コンテンツ再生指定手段からなる、起動コンテンツ管理手段を備え、再生属性管理手段からの通知により、ボタン押下により再生を開始するコンテンツを自動的にきりかえる機能をそなえたことを特徴とする請求項８に記載のデジタルＡＶデータ記録再生装置である。
【００５０】
以下、本発明の実施の形態について、図面を用いて説明する。
【００５１】
（実施の形態１）
図１は、本発明の実施の形態によるＡＶストリーム記録再生装置（あるいは、デジタルＡＶデータ記録再生装置）の構成図である。
【００５２】
図１８と同じ構成要素には、同じ番号を付与し、説明を省略する。
【００５３】
図１において、１０００は、本実施の形態における、デジタルＡＶデータ記録再生装置である。１００２は、再生位置を監視する、再生位置監視手段である。１００３は、再生位置が不連続に変化したことをデジタル放送受信機１０２に通知するための再生不連続点通知手段である。１００４は、再生不連続点通知手段１００３が生成した、再生位置不連続通知データを、ＭＰＥＧ２トランスポート化する、ＭＰＥＧ２トランスポート化手段である。
【００５４】
再生位置監視手段１００２、再生不連続点通知手段１００３およびＭＰＥＧ２トランスポート化手段１００４から構成される、連続再生管理手段１００１の処理内容を、図２に示す。
【００５５】
図２のフローチャートを使って、処理の流れを説明する。
【００５６】
繰り返し再生を行う、データ・ＡＶ複合コンテンツの再生が始まると、再生位置監視手段１００２は、再生位置が繰り返し点に到達したかどうかを監視する（１１００）。繰り返し点に到達したなら、再生位置監視手段１００２は、コンテンツ再生手段１１０の再生位置を、繰り返し再生の先頭位置に移動させる（１１０１）。そのあと、再生動作に不連続が発生したことを、データ放送実行手段１１６に通知するための、通知データを生成する（１００２）。そのデータをＭＰＥＧ２−ＴＳ化し、再生バッファ１０７に挿入する（１１０３）。そのあと、再生動作を継続実行する（１１０４）。
【００５７】
再生バッファ１０７に挿入された、通知データは、再生ストリーム１１５の一部として送出され、データ放送実行手段１１６は、再生動作に不連続の発生したことを、検知する。その結果、データ放送実行手段１１６は再起動することなく、継続してデジタルＡＶデータ記録再生装置１０３からの再生ストリームを受信し、視聴者は、途切れることなくデータ放送コンテンツ２０２を視聴することができるようになる。
【００５８】
ここでの、通知パケットは、たとえば、ＩＥＣ１３８１８−１で規定される、ＭＰＥＧ２−ＴＳのＰＡＴ（プログラムアソシエーションテーブル）パケットのＡｄａｐｔａｔｉｏｎＦｉｅｌｄのＤｉｓｃｏｎｔｉｎｕｉｔｙＢｉｔを１に設定したパケットがある。
【００５９】
尚、この例は一例であり、ＰＡＴパケットである必要はなく、ＰＭＴ（プログラムマップテーブル）パケットでもよく、さらに、データ放送実行手段１１６の解釈可能な構造であれば、どのような構造でもかまわない。
【００６０】
図３は、図１および図２で示したデジタルＡＶデータ記録再生装置１０００が、データ・ＡＶ複合コンテンツ２００を連続再生するときの、ＡＶコンテンツ上の再生位置の動きを示したものである。図４は、そのときの、デジタル放送受信機１０２に送出する再生ストリーム１１５の様子を模式的に描いたものである。図１９と同じ構成要素には、同一の番号を付与し、説明を省略する。
【００６１】
図３と図４を用いて、本発明の（実施の形態１）の効果を説明する。
【００６２】
データ・ＡＶ複合コンテンツ２００を連続再生するときに、再生位置３００は、コンテンツ先頭３０１から、コンテンツ終端３０２まで順に再生を行い、コンテンツ終端３０２に到達した時点で、繰り替え再生動作３０３を行い、再び、コンテンツ先頭３０１から再生動作を継続する。その際、前述した仕組みにより連続再生される、データ・ＡＶ複合コンテンツ２００の間には、不連続通知パケット１３０１が挿入される。その結果、再生ストリームに不連続のあることがデータ放送実行手段１１６に通知されるため、データ放送実行手段１１６は、いったん停止、再起動しなくとも、データ放送を継続して実行する対応をとることが可能になる。その結果、視聴者は、ＡＶコンテンツ２０３のデータ放送を継続して視聴することができるようになる。
【００６３】
（実施の形態２）
実施の形態１では、「本発明が解決しようとする課題」の１番目の課題である、繰り返し再生時において、データ放送コンテンツが、連続視聴できない課題を解決する方法について記述したが、「本発明が解決しようとする課題」の２番目の課題である、スキップ動作に伴にともなって、データ放送コンテンツを連続視聴できない問題も同様の構成により解決できる。
【００６４】
図５は、実施の形態２における、連続再生管理手段１００１の処理内容を表すフローチャートである。
【００６５】
データ・ＡＶ複合コンテンツ２００を再生中に、スキップ再生動作要求を検出した場合（１４００）、スキップ動作を実行するタイミングにおいて、不連続情報を書き込んだデータを生成する（１４０１）。さらに、その不連続上情報をあらわすデータをＭＰＥＧ２−ＴＳ化し、再生バッファ１０７に書き込む（１４０２）。この様に、データ・ＡＶ複合コンテンツのスキップ再生動作においても、本実施の形態の構成をとることで、データ放送実行手段１０６の停止・再起動を防ぎ、視聴者は連続した再生を視聴することができるようになる。
【００６６】
（実施の形態３）
ＩＳＯ／ＩＥＣ１３８１８−１で規定されるＭＰＥＧ２トランスポートストリームにおいては、コンテンツのタイトル情報や放送時間情報を通知するためのＳＩＴ（セレクションインフォメーションテーブル）が規定されている。
【００６７】
実施の形態３は、実施の形態１，２で説明した構成に加えて、繰り返し再生（またはスキップ再生）を行うデータ・ＡＶ複合コンテンツの中のＳＩＴ情報の書き換え機能を有する例について説明する。
【００６８】
図６は、その構成を示したものである。図１と同じ構成要素には同一番号を付与し、説明を省略する。
【００６９】
図６において、１５０３は、記録するストリームのＳＩＴパケット情報を管理する手段であり、具体的には、ＳＩＴ情報抽出手段１５０１とＳＩＴ情報変更手段１５０２からなる。
【００７０】
以下、実施の形態３の動作を、図面を用いて説明する。
【００７１】
ＭＰＥＧ２システム（ＩＳＯ／ＩＥＣ１３８１８−１）では、ストリームが放送局から送出される現在時刻等の情報を搬送するＳＩＴ（セレクションインフォメーションテーブル）パケットが、周期的に記録ストリームに挿入されるものとなっている。この様なストリームをデジタルＡＶデータ記録再生装置１５００に記録したものが、図７に示す、データ・ＡＶ複合コンテンツ１６００である。ＳＩＴは、通常、１つ、または複数個のパケットで１組の情報をもつものであり、ある時間間隔で周期的に、デジタル放送受信機１０２によって記録ストリーム１１４に挿入される。以下では、複数個でひとまとまりのＳＩＴデータを、一組のＳＩＴデータと表現する。
【００７２】
図７に示す、このデータ・ＡＶ複合コンテンツ１６００には、１６０２〜１６０４で示す、複数組のＳＩＴデータが挿入されている。
【００７３】
このＳＩＴパケットには、時刻情報が記載されており、その時刻情報は、ＳＩＴパケット１６０２  ＜  ＳＩＴパケット１６０３  ＜  ＳＩＴパケット１６０４、の順で記述されている。
【００７４】
このデータ・ＡＶ複合コンテンツ１６００を繰り返し再生すると、ＳＩＴパケット１６０４のあと、ＳＩＴパケット１６０２が送出され、ＳＩＴパケットに記述されている現在時刻情報の逆転が発生する。そのため、データ放送実行手段１１６は、この現在時刻情報の逆転を検出し、自動的にリセット・再起動を行い、視聴者は、連続したデータ放送コンテンツを視聴できない。
【００７５】
本実施の形態は、このような問題を解決するための構成である。
【００７６】
図８は、ＳＩＴ管理手段１５０３の処理の流れを示したものである。
【００７７】
はじめに、ＳＩＴ情報抽出手段１５０１は、コンテンツの繰り返し再生範囲のＳＩＴパケットの個数・データ位置情報を抽出するものである（１７００）。
【００７８】
この情報の取得は、記録動作時に、記録ストリーム１１４が一時的に蓄積される記録バッファ１０５から取得してもよいし、再生時に事前に、データ保存手段１１２上のデータから読み出してもよい。
【００７９】
その後再生時に、ＳＩＴ情報変更手段１５０２は、再生バッファ上に一時蓄積した再生データのＳＩＴ情報を変更する。
【００８０】
その変更の方法は、一組のＳＩＴデータが、繰り返し点をまたいでいる場合、その不完全なＳＩＴデータを削除する（１７０１，１７０２）。さらに、繰り返し再生範囲に、複数組のＳＩＴデータが挿入されている場合、１組を残して、他のＳＩＴデータはすべて削除する（１７０３，１７０４）。
【００８１】
このように、ＳＩＴデータを変更し、データ・ＡＶ複合コンテンツ１６００を送出することで、データ放送実行手段１１６は、リセット・再起動することなく、視聴者はデータ放送コンテンツ１６００を連続して視聴することができる。
【００８２】
（実施の形態４）
実施の形態４は、実施の形態３で説明した形態の、ＳＩＴ管理手段１４０３の処理内容が異なる形態である。機器構成は、実施の形態３の図６と同一であり、その説明は省略する。
【００８３】
図９は、実施の形態４のＳＩＴ管理手段１５０３の処理内容の流れを示したものである。
【００８４】
ＳＩＴ情報抽出手段１５０１は、記録したコンテンツの繰り返し再生範囲のＳＩＴパケットの個数・データ位置情報を抽出する（１８００）。
【００８５】
この情報の取得は、記録動作時に、記録ストリーム１１４が一時的に蓄積される記録バッファ１０５から取得してもよいし、再生時に事前に、データ保存手段１１２上のデータから読み出してもよい。
【００８６】
その後再生時に、ＳＩＴ情報変更手段１５０２は、再生バッファ上に一時蓄積した再生データのＳＩＴ情報を変更する。
【００８７】
本実施の形態における変更の方法は、ＳＩＴデータが、繰り返し点をまたいでいる場合、その不完全なＳＩＴデータを削除する（１８０１，１８０２）。さらに、繰り返し再生範囲に、複数組のＳＩＴデータが挿入されている場合、再生開始からの経過時間に従って、ＳＩＴデータに記述されている、現在時刻情報を再生動作に伴って、再生開始からの経過時間を加算した時間で順次更新していく（１８０３，１８０４）。この意味は、たとえば、図７のＳＩＴデータ１６０２に記述されている現在時刻情報が、０時０分５秒、ＳＩＴデータ１６０３に記述されている現在時刻情報が、０時０分１０秒、ＳＩＴデータ１６０４に記述されている現在時刻情報が、０時０分１５秒であったときに、繰り返し再生動作の２周目以降は、各ＳＩＴデータに記述されている現在時刻情報を、ＳＩＴデータ１６０２に記述されている現在時刻情報を、０時０分２５秒、ＳＩＴデータ１６０３に記述されている現在時刻情報を、０時０分３０秒、ＳＩＴデータ１６０４に記述されている現在時刻情報を、０時０分３５秒、３周目は、ＳＩＴデータ１６０２に記述されている現在時刻情報を、０時０分４５秒、ＳＩＴデータ１６０３に記述されている現在時刻情報を、０時０分５０秒、ＳＩＴデータ１６０４に記述されている現在時刻情報を、０時０分５５秒、（以降、順次単調に増加させる）という様に、更新することを意味している。
【００８８】
このように、ＳＩＴデータを変更し、データ・ＡＶ複合コンテンツ１６００を送出することで、データ放送実行手段１１６は、リセット・再起動することなく、視聴者はデータ放送コンテンツ１６００を連続して視聴することができる。
【００８９】
なお、実施の形態３、４で説明した例では、繰り返し再生の、繰り返し再生動作を実行する場合において、ＳＩＴデータの変更を行う構成について記述したが、データ・ＡＶ複合コンテンツを再生中に、スキップ再生動作を行う場合についても、スキップ再生を実行する範囲において、同様のＳＩＴ変更処理を行うことで、データ放送実行手段１０６の停止・再起動を防ぐことができるようになる。
【００９０】
また、実施の形態３、４で説明した例では、再生動作時に、ＳＩＴデータの変更処理を行うものとして説明を行ったが、必ずしも再生動作時に行う必要はなく、記録ストリームをデジタルＡＶデータ記録再生装置に記録をおこなう記録動作時に、同時に行っても同様の効果を得ることができる。
【００９１】
（実施の形態５）
図１０は、本発明の実施の形態５における、デジタルＡＶデータ記録再生装置１９００の構成図であり、「本発明が解決しようとする課題」の３番目の課題である、データ・ＡＶ複合コンテンツのスキップ再生時の、正確な位置決めを可能とするものである。
【００９２】
図１０において、前出の図と同一構成要素に対しては、同一番号を付与し、説明を省略する。
【００９３】
１９０１は、記録開始時刻管理手段である。記録開始時刻管理手段１９０１は、記録開始時刻取得手段１９０２と記録開始時刻保存手段１９０３と、記録開始時刻通知手段１９０４から構成される。
【００９４】
図１１は、記録開始時刻管理手段１９０１の処理内容を示すフローチャートである。
【００９５】
図１２は、複数のＡＶコンテンツとデータ放送コンテンツが多重化されて記録された、データ・ＡＶ複合コンテンツを再生する際、スキップ再生動作によりＡＶコンテンツを切り替える動作の様子を模式的に示したものである。
【００９６】
図１３は、データ・ＡＶ複合コンテンツ２１００のデータ放送コンテンツ２１０１が保有する情報を示したものである。
【００９７】
図１４は、図１２におけるスキップ再生動作を行う際の、データ放送コンテンツの処理の内容のフローチャートである。
【００９８】
図１０に示した、実施の形態５の動作について、図１０と図１１に従って説明する。
【００９９】
デジタル放送受信機１０２もしくは、デジタルＡＶデータ記録再生装置１９００を操作することで、デジタルＡＶデータ記録再生装置１９００は記録ストリーム１１４の録画動作を開始する。記録開始時刻管理手段１９０１の記録開始時刻取得手段１９０２は、そのときの現在時刻を取得する（図１１の２００１）。この具体的な方法は、たとえば、記録ストリーム中に配置されているＳＩＴ（セレクションインフォメーションテーブル）の中に書き込まれているパーシャルトランスポートストリームタイム記述子を解析して取得するか、デジタルＡＶストリーム記録再生装置内部で保有する時計機能（図示せず）から取得する方法がある。
【０１００】
ただし、記録するストリームが、放送中のストリームではなく、たとえばＤ−ＶＨＳ（登録商標）などの、記録媒体にいったん記録されたストリームをダビング操作によって記録するときは、ストリームに埋め込まれている、ＳＩＴから取得した放送時刻を、現在時刻とするものとする。
【０１０１】
また、デジタル放送受信機１０２から専用コマンドのやり取りによって取得する方法もある。記録開始時刻保存手段１９０３は、取得した記録開始時刻情報を、番組タイトル情報格納手段１０８に通知し、各コンテンツに付属の情報として保存する。
【０１０２】
１９０４は、記録開始時刻通知手段である。再生動作時には、再生コンテンツの記録開始時刻を取得し（図１１の２００２）、コマンド要求１１３等によって、記録開始時刻の問い合わせが来たときに、コマンド応答によってその時刻を通知するものである（図１１の２００３）。
【０１０３】
次に、この記録したコンテンツが、図１２に示すような、複数のＡＶコンテンツとデータ放送コンテンツが多重化された、データ・ＡＶ複合コンテンツであり、かつ、データ放送コンテンツ２１０１によって実現されるアプリケーションが、ＡＶコンテンツ５０１の再生中に正確にＡＶコンテンツ５０３の頭出しを行う場合のための手順について説明する。
【０１０４】
デジタルＡＶデータ記録再生装置１９００が、前述したような動作を行うときに、デジタル放送受信機１０２のデータ放送実行手段１１６上で動作するデータ放送コンテンツの動作を、図１４を使って説明する。
【０１０５】
データ・ＡＶ複合コンテンツ２１００の再生が始まると、データ放送コンテンツ２１０１が、データ放送実行手段１１６上で起動する（２３００）。
【０１０６】
起動したデータ放送コンテンツは、デジタルＡＶデータ記録再生装置１９００に問い合わせコマンドを発行して、当該オブジェクトの記録開始時刻を取得する（２３０１）。
【０１０７】
このとき、動作しているデータ放送コンテンツは、図１３に示すような情報を保持しているとする。その情報は、データ・ＡＶ複合コンテンツ２１０１の放送予定時刻（Ｔｓｔａｒｔ）と、その中の各ＡＶコンテンツの、放送開始からの相対的な放送予定時刻（Ｔ５０１〜Ｔ５０４）である。
【０１０８】
コンテンツ録画開始時刻を受け取ったデータ放送コンテンツ２１０１は、２３０２に示す、ΔＴを求める。
【０１０９】
その後、視聴者の操作等により、ＡＶコンテンツ５０１を視聴中に、ＡＶコンテンツ５０３の先頭位置にサーチ動作を行う際、処理は、２３０３から２３０４に遷移する。
【０１１０】
データ放送コンテンツの処理は、図１３に示す各ＡＶコンテンツの放送予定時刻（Ｔ５０１〜Ｔ５０４）をとりだし（２３０４）、頭だし位置の記録コンテンツの先頭からのオフセット値Ｔｓｅａｒｃｈを得る（２３０５）。
【０１１１】
その結果得られたＴｓｅａｒｃｈ（ＨＭＳ値）の位置へスキップ再生動作をするコマンドを、デジタルＡＶストリーム記録再生装置１９００に発行する（２３０６）。
【０１１２】
このような処理により、コンテンツの放送時刻と、記録開始時刻の間のずれを取り除いた各ＡＶコンテンツの先頭ＨＭＳを取得することができ、精度の高いサーチ動作を行うことが可能となる。
【０１１３】
（実施の形態６）
図１５は、本発明の実施の形態６における、デジタルＡＶデータ記録再生装置２４００の構成図であり、「本発明が解決しようとする課題」の３番目の課題である、データ・ＡＶ複合コンテンツのスキップ再生時の、正確な位置決めを可能とする、別の構成を示したものである。
【０１１４】
図１５において、前出の図と同一構成要素に対しては、同一番号を付与し、説明を省略する。図１５においては、２４００は、本実施の形態の構成のデジタルＡＶデータ記録再生装置であり、２４０１は、記録開始時刻取得手段１９０１が取得した記録開始時刻を、イベントメッセージとして、ＭＰＥＧ２−ＴＳ中に埋め込んで送出するものである。
【０１１５】
本実施の形態６と前出の実施の形態５との差異は、実施の形態５では、記録開始時刻取得手段１９０２の取得した記録開始時刻を、データ放送コンテンツからの問い合わせコマンドに対する応答として与えていたものを、実施の形態６では、ＭＰＥＧ２−ＴＳで規定される、イベントメッセージとして送出する点が異なっており、他の動作は、同じである。
【０１１６】
本実施の形態のイベントメッセージ発行手段２４０１は、データ・ＡＶ複合コンテンツ２１００の再生を始めるとともに、コンテンツ格納手段１０６から取得した記録開始時刻をイベントメッセージとして、再生バッファ１０７に挿入する。この挿入は、再生開始時に１回のみ行っても良いし、再生動作中定期的に行っても良い。
【０１１７】
本実施の形態をとることで、データ放送コンテンツ２１０１が、デジタルＡＶデータ記録再生装置１９００に問い合わせコマンドを発行する処理の煩雑さを軽減することができる。
【０１１８】
（実施の形態７）
図１６は、「本発明が解決しようとする課題」の４番目の課題を解決する、データ・ＡＶ複合コンテンツと通常のＡＶコンテンツの再生動作を自動的に切り替える機能を持つ構成を示したものである。
【０１１９】
図１６において、前出の図と同一構成要素に対しては、同一番号を付与し、説明を省略する。図１６においては、２５００は、本実施の形態の構成のデジタルＡＶデータ記録再生装置であり、２５０２は、ＰＭＴ抽出解析手段である。２５０３は、再生属性保存手段である。２５０４は、再生動作管理手段であり、再生属性管理手段２５０１は、これらの、各手段を備えている。
【０１２０】
以下、順に、図１６に示す構成のデジタルＡＶデータ記録再生装置の動作について説明する。
【０１２１】
これまで述べてきたような、繰り返し再生を行うデータ・ＡＶ複合コンテンツと、通常の再生動作をおこなう、ＡＶコンテンツでは、再生動作が大きく異なるが、その動作の切り替えを視聴者が行うのでは、操作がわずらわしくなる。本実施の形態で説明する構成は、その切り替えを自動的に行うものである。放送されるコンテンツが、繰り返し再生が可能なデータ・ＡＶ複合コンテンツであるかどうかは、放送局からの送出時に決まっている。従って、放送局側は、繰り返し再生が可能なデータ・ＡＶ複合コンテンツの場合は、そのことを示す記述をＰＭＴに埋め込んで送出することができる。デジタルＡＶデータ記録再生装置２５００における、ＰＭＴ抽出解析手段２５０２は、記録ストリームからＰＭＴパケットを分離し、内容を解析して、その記述を取り出すものである。再生属性保存手段２５０３は、ＰＭＴ抽出解析手段２５０２の抽出した再生に関する情報を、番組タイトル情報格納手段１０８に通知し、各コンテンツに付属の情報として保存する。再生動作管理手段２５０４は、再生動作時に、各コンテンツの再生属性を調べて、繰り返し再生を行うコンテンツの場合は、連続再生管理手段１００３とＳＩＴ管理手段１４０３と記録開始時刻管理手段１７００を起動し動作させるものである。このような構成により、視聴者は、繰り返し再生を行うコンテンツをわざわざ指定する必要がなくなり、操作を簡便にすることが可能になる。
【０１２２】
（実施の形態８）
図１７は、「本発明が解決しようとする課題」の５番目の課題を解決する、特定のボタンを押下したときに再生を開始するコンテンツを自動的に更新する機能を持つ構成を示したものである。
【０１２３】
図１７において、前出の図と同一構成要素に対しては、同一番号を付与し、説明を省略する。図１７においては、２６００は、本実施の形態の構成のデジタルＡＶデータ記録再生装置であり、２６０２は起動コンテンツ識別子保存手段である。２６０３は、コンテンツ再生指定手段であり、起動コンテンツ管理手段２６０１は、これらの各手段を備えている。
【０１２４】
以下に、順に、図１７に示す構成のデジタルＡＶデータ記録再生装置の動作について説明する。
【０１２５】
これまで、リモコン、または、本体の特定のボタンを押下することにより、あらかじめ指定したコンテンツの再生を始める機器は存在していたが、ボタンの押下に伴い再生を開始するコンテンツを切り替えることはできなかった。
【０１２６】
本実施の形態は、ボタンの押下に伴い再生開始するコンテンツを自動的に切り替えるものである。再生属性管理手段２５０１が、記録中のコンテンツが、ボタン押下により再生開始するコンテンツであることを識別すると、そのことを、起動コンテンツ識別子保存手段２６０２に通知する。起動コンテンツ識別子保存手段２６０２は、起動するコンテンツを特定する識別子をコンテンツ格納手段を使って保存する。
【０１２７】
このとき、リモコン信号送信機６０３等の操作により、ボタンが押下されたことによる、特定のコンテンツ再生要求が来たときは、コンテンツ再生指定手段２６０３から、コンテンツ格納手段１０６に対して、再生要求を出し、再生を開始するものである。
【０１２８】
本実施の形態をとることにより、ボタンが押下されたときに再生を開始するコンテンツを視聴者がわざわざ指定することなく、自動的に切り替えることができ、操作を簡便にすることができる。
【０１２９】
このような、ボタンの押下によって再生を開始するコンテンツを、自動的に変更することのできる機能は、蓄積再生型の放送サービスにおいて有効である。
【０１３０】
蓄積再生型の放送サービスは、記録媒体上に、各コンテンツが、ツリー上の階層関係をもって記録、蓄積される。そのツリー構造のコンテンツ関係にあって、ルートの位置にあり最初に再生されるべきコンテンツを、ポータルコンテンツと呼ぶことにする。
【０１３１】
このポータルコンテンツは、専用に用意されたボタンの押下により直ちに再生を開始されると、視聴者の操作性は向上が、さらに、このポータルコンテンツが定期的に更新されたときには、ボタン押下により起動するコンテンツが自動的に、新しいコンテンツに置き換える機能が必要である。本実施の形態では、このような、起動するコンテンツを更新し、視聴者の操作性の向上を実現するものである。
【０１３２】
尚、上述した、各実施の形態の構成図において、データ保存手段１１２は、メモリ素子によるものでも、ＨＤＤなどのディスク装置によるものでも、同一の効果を得ることができる。
【０１３３】
【発明の効果】
以上、説明したところから明らかなように、本発明は、データ放送を含むコンテンツを短時間録画しただけであっても、データ放送を長時間にわたって連続して視聴することを可能にするものである。
【０１３４】
また、データ放送コンテンツとＡＶコンテンツが連動したようなコンテンツであって、データ放送コンテンツのガイドに従って、ＡＶコンテンツの別の部分にスキップ再生しても、番組の途切れを意識させないＡＶデータ記録再生装置を提供することができる。
【０１３５】
また、上記のスキップ再生動作の際に、ＡＶコンテンツの先頭から再生が可能な、ＡＶデータ記録再生装置を提供することができる。
【０１３６】
また、視聴者がいちいち設定しなくても、繰り返し再生を行うコンテンツを指定することのできる、デジタルＡＶデータ記録再生装置を提供することができる。
【０１３７】
また、視聴者がいちいち設定しなくても、ボタンを押下したときに再生を開始するコンテンツを自動的に切り替えることのできる、デジタルＡＶデータ記録再生装置を提供することができる。
【図面の簡単な説明】
【図１】本発明の実施の形態１によるデジタルＡＶデータ記録再生装置の構成を示すブロック図
【図２】同デジタルＡＶデータ記録再生装置の連続再生管理手段の動作を示すフローチャート
【図３】同デジタルＡＶデータ記録再生装置のデータ・ＡＶ複合コンテンツの繰り返し再生動作を示す図
【図４】同デジタルＡＶデータ記録再生装置のデータ・ＡＶ複合コンテンツの繰り返し再生動作時の送出ストリーム模式図
【図５】本発明の実施の形態２によるデジタルＡＶデータ記録再生装置おける連続再生管理手段の動作を示すフローチャート
【図６】同実施の形態３によるデジタルＡＶデータ記録再生装置の構成を示すブロック図
【図７】同デジタルＡＶデータ記録再生装置における複数組のＳＩＴデータを含むデータ・ＡＶ複合コンテンツを示す概念図
【図８】同デジタルＡＶデータ記録再生装置におけるＳＩＴ管理手段の処理の流れを示すフローチャート
【図９】本発明の実施の形態４によるデジタルＡＶデータ記録再生装置におけるＳＩＴ管理手段の処理の流れを示すフローチャート
【図１０】同実施の形態５によるデジタルＡＶデータ記録再生装置の構成を示すブロック図
【図１１】同デジタルＡＶデータ記録再生装置における記録開始時刻管理手段の処理内容を示すフローチャート
【図１２】同デジタルＡＶデータ記録再生装置におけるスキップ再生動作によりＡＶコンテンツを切り替える動作の模式図
【図１３】同デジタルＡＶデータ記録再生装置におけるデータ・ＡＶ複合コンテンツのデータ放送コンテンツが保有する情報を示す図
【図１４】同デジタルＡＶデータ記録再生装置におけるデータコンテンツの動作を示すフローチャート
【図１５】本発明の実施の形態６によるデジタルＡＶデータ記録再生装置の構成を示すブロック図
【図１６】同実施の形態７によるデジタルＡＶデータ記録再生装置の構成を示すブロック図
【図１７】同実施の形態８によるデジタルＡＶデータ記録再生装置の構成を示すブロック図
【図１８】従来のデジタルＡＶデータ記録再生装置の構成を示すブロック図
【図１９】同デジタルＡＶデータ記録再生装置におけるデータ・ＡＶ複合コンテンツを示す模式図
【図２０】同デジタルＡＶデータ記録再生装置におけるデータ・ＡＶ複合コンテンツの繰り返し再生動作を示す概念図
【図２１】同デジタルＡＶデータ記録再生装置におけるデータ・ＡＶ複合コンテンツのスキップ再生動作を示す概念図
【図２２】同デジタルＡＶデータ記録再生装置におけるデータ・ＡＶ複合コンテンツの頭出しスキップ再生動作を示す概念図
【図２３】ボタン押下により特定のコンテンツが再生を開始する従来のデジタルＡＶデータ記録再生装置の構成を示すブロック図
【符号の説明】
１０１  ＴＶ受像機
１０２  デジタル放送受信機
１０４  コマンド処理手段
１０５  記録バッファ
１０６  コンテンツ格納手段
１０７  再生バッファ
１０８  番組タイトル情報格納手段
１０９  コンテンツ記録手段
１１０  コンテンツ再生手段
１１１  コンテンツ選択手段
１１２  データ保存手段
１１３  コマンド要求
１１４  記録ストリーム
１１５  再生ストリーム
１１６  データ放送実行手段
１１７  表示手段
１１８  デジタルインタフェース
１０００  デジタルＡＶデータ記録再生装置
１００１  連続再生管理手段
１００２  再生位置監視手段
１００３  再生不連続点通知手段
１００４  ＭＰＥＧ２トランスポート化手段
【図１】
2004228751.tif 000003
【図２】
2004228751.tif 000004
【図３】
2004228751.tif 000005
【図４】
2004228751.tif 000006
【図５】
2004228751.tif 000007
【図６】
2004228751.tif 000008
【図７】
2004228751.tif 000009
【図８】
2004228751.tif 000010
【図９】
2004228751.tif 000011
【図１０】
2004228751.tif 000012
【図１１】
2004228751.tif 000013
【図１２】
2004228751.tif 000014
【図１３】
2004228751.tif 000015
【図１４】
2004228751.tif 000016
【図１５】
2004228751.tif 000017
【図１６】
2004228751.tif 000018
【図１７】
2004228751.tif 000019
【図１８】
2004228751.tif 000020
【図１９】
2004228751.tif 000021
【図２０】
2004228751.tif 000022
【図２１】
2004228751.tif 000023
【図２２】
2004228751.tif 000024
【図２３】
2004228751.tif 000025